(57)【特許請求の範囲】
【請求項１】
中間サポートと、左構造と、右構造とを備えており、
左構造と右構造は、それぞれ左サポートと右サポートを備え、
前記左サポートと右サポートは、それぞれ中間サポートの右側と左側に回転可能に連結され、それらの回転軸は平行であり、
前記左サポートと右サポートは、いずれも中間サポートとフレキシブルスクリーン方向に向いて開いたスペースを有し、
前記スペースにはフレキシブルスクリーンをサポートする運動機構が設けられ、
前記運動機構は、フレキシブルスクリーンの幅以上の幅を有するフレキシブルスクリーン・サポートを有し、
前記運動機構には連動する回転フレキシブルスクリーン・サポートと昇降フレキシブルスクリーン・サポートが設けられ、
前記昇降フレキシブルスクリーン・サポートには、開口した第二スライディング・スペースを有し、かつ、ガイド溝が設けられ、
前記ガイド溝は、第二スライディング・フレキシブルスクリーン・サポートと連結され、
前記第二スライディング・フレキシブルスクリーン・サポートは、前記第二スライディング・スペースにおいて、前記ガイド溝に沿って、中間サポートに向いてスライドするか、或いは中間サポートから遠く離れる方向にスライドし、
昇降フレキシブルスクリーン・サポートの昇降方向は、モバイル端末の厚さ方向に対応しており、
ヒンジが閉じられる場合、前記昇降フレキシブルスクリーン・サポートは低い位置に降下し、
ヒンジが開かれる場合、前記昇降フレキシブルスクリーン・サポートは高い位置に上昇し、
前記運動機構には、前記中間サポートから遠く離れた側の一端に、前記回転フレキシブルスクリーン・サポートが設けられており、前記回転フレキシブルスクリーン・サポートの回転軸は、左サポートと右サポートの回転軸と平行となり、昇降フレキシブルスクリーン・サポートが降下する場合に、回転フレキシブルスクリーン・サポートは下向きに回転し、昇降フレキシブルスクリーン・サポートが上昇する場合に、回転フレキシブルスクリーン・サポートは上向きに回転する、
ことを特徴とするフレキシブルスクリーン・モバイル端末用のヒンジ。
【請求項２】
中間サポートと、左構造と、右構造とを備えており、
左構造と右構造は、それぞれ左サポートと右サポートを備え、
前記左サポートと右サポートは、それぞれ中間サポートの右側と左側に回転可能に連結され、それらの回転軸は平行であり、
前記左サポートと右サポートは、いずれも中間サポートとフレキシブルスクリーン方向に向いて開いたスペースを有し、
前記スペースにはフレキシブルスクリーンをサポートする運動機構が設けられ、
前記運動機構は、フレキシブルスクリーンの幅以上の幅を有するフレキシブルスクリーン・サポートを有し、
前記運動機構には連動する回転フレキシブルスクリーン・サポートと昇降フレキシブルスクリーン・サポートが設けられ、
昇降フレキシブルスクリーン・サポートの昇降方向は、モバイル端末の厚さ方向に対応しており、
ヒンジが閉じられる場合、前記昇降フレキシブルスクリーン・サポートは低い位置に降下し、
ヒンジが開かれる場合、前記昇降フレキシブルスクリーン・サポートは高い位置に上昇し、
前記運動機構には、前記中間サポートから遠く離れた側の一端に、前記回転フレキシブルスクリーン・サポートが設けられており、前記回転フレキシブルスクリーン・サポートの回転軸は、左サポートと右サポートの回転軸と平行となり、昇降フレキシブルスクリーン・サポートが降下する場合に、回転フレキシブルスクリーン・サポートは下向きに回転し、昇降フレキシブルスクリーン・サポートが上昇する場合に、回転フレキシブルスクリーン・サポートは上向きに回転し、
前記左サポートと右サポートには、昇降フレキシブルスクリーン・サポートの昇降ガイド傾斜溝が設けられ、
前記昇降フレキシブルスクリーン・サポートは、昇降ガイド軸を介して対応する左サポート又は右サポートの昇降ガイド傾斜溝とスライド可能に連結される、
ことを特徴とするフレキシブルスクリーン・モバイル端末用のヒンジ。
【請求項３】
中間サポートと、左構造と、右構造とを備えており、
左構造と右構造は、それぞれ左サポートと右サポートを備え、
前記左サポートと右サポートは、それぞれ中間サポートの右側と左側に回転可能に連結され、それらの回転軸は平行であり、
前記左サポートと右サポートは、いずれも中間サポートとフレキシブルスクリーン方向に向いて開いたスペースを有し、
前記スペースにはフレキシブルスクリーンをサポートする運動機構が設けられ、
前記運動機構は、フレキシブルスクリーンの幅以上の幅を有するフレキシブルスクリーン・サポートを有し、
前記運動機構には連動する回転フレキシブルスクリーン・サポートと昇降フレキシブルスクリーン・サポートが設けられ、
昇降フレキシブルスクリーン・サポートの昇降方向は、モバイル端末の厚さ方向に対応しており、
ヒンジが閉じられる場合、前記昇降フレキシブルスクリーン・サポートは低い位置に降下し、
ヒンジが開かれる場合、前記昇降フレキシブルスクリーン・サポートは高い位置に上昇し、
前記運動機構には、前記中間サポートから遠く離れた側の一端に、前記回転フレキシブルスクリーン・サポートが設けられており、前記回転フレキシブルスクリーン・サポートの回転軸は、左サポートと右サポートの回転軸と平行となり、昇降フレキシブルスクリーン・サポートが降下する場合に、回転フレキシブルスクリーン・サポートは下向きに回転し、昇降フレキシブルスクリーン・サポートが上昇する場合に、回転フレキシブルスクリーン・サポートは上向きに回転し、
前記ヒンジには、中間昇降押付ブロックがさらに設けられ、
前記中間サポートにはフレキシブルスクリーンの幅方向に沿って長い穴を有し、
中間昇降押付ブロックの昇降ガイドに対して、前記中間昇降押付ブロックは、さらに連結構造を介して、左サポートと右サポートと連結されて連動し、前記中間昇降押付ブロックの昇降方向はヒンジが閉じられる時に、前記中間昇降押付ブロックは高い位置に上昇して前記長い穴から突き出され、ヒンジが開かれる時に、前記中間昇降押付ブロックは、低い位置に降下して、開かれたフレキシブルスクリーンの中間部位をサポートする、
ことを特徴とするフレキシブルスクリーン・モバイル端末用のヒンジ。
【請求項４】
前記中間昇降押付ブロックは、シンクロナス機構にもなり、左サポートと右サポートを同期且つ反対方向に回転させる、
ことを特徴とする請求項３に記載のフレキシブルスクリーン・モバイル端末用のヒンジ。
【請求項５】
前記中間昇降押付ブロックは、それぞれ第一連結棒と第二連結棒を介して左サポート及び右サポートと回転可能に連結され、
前記第一連結棒と第二連結棒は、前記中間昇降押付ブロックの中間位置に同軸回転可能に連結され、
前記第一連結棒と左サポートとの連結軸は、左サポートと中間サポートとの回転軸と同軸になり、
前記第二連結棒と右サポートとの連結軸は、右サポートと中間サポートとの回転軸と同軸になる、
ことを特徴とする請求項４に記載のフレキシブルスクリーン・モバイル端末用のヒンジ。
【請求項６】
前記運動機構は、対応する左サポート又は右サポートと連結されて、対応する左サポート又は右サポートと連動する、ことを特徴とする請求項１から５までの何れか一項に記載のフレキシブルスクリーン・モバイル端末用のヒンジ。
【請求項７】
前記運動機構の中間サポートから遠くに離れた一端は、回転フレキシブルスクリーン・サポートを介して対応する左サポート又は右サポートと連結され、
前記回転フレキシブルスクリーン・サポートの、中間サポートから遠くに離れた側の一端は、対応する左サポート又は右サポートに回転可能に連結され、
前記回転フレキシブルスクリーン・サポートの、中間サポートに近い側の一端は、昇降フレキシブルスクリーン・サポートと連結されるとともに、昇降フレキシブルスクリーン・サポートに対してスライド且つ回転することができ、
中間サポートの左右両側は、連結機構を介して左右両側の昇降フレキシブルスクリーン・サポートと連結され、
前記昇降フレキシブルスクリーン・サポートは、対応する左サポート又は右サポートと連結されて、対応する左サポート又は右サポートと連動する、
ことを特徴とする請求項１から５までの何れか一項に記載のフレキシブルスクリーン・モバイル端末用のヒンジ。
【請求項８】
前記回転フレキシブルスクリーン・サポートは、開口した第一スライディング・スペースを有し、かつ、ガイド溝が設けられ、
前記ガイド溝は、第一スライディング・フレキシブルスクリーン・サポートと連結され、
第一スライディング・フレキシブルスクリーン・サポートは、前記第一スライディング・スペースにおいて、前記ガイド溝に沿って、昇降フレキシブルスクリーン・サポートに向いてスライドするか、或いは昇降フレキシブルスクリーン・サポートから遠く離れる方向にスライドする、
ことを特徴とする請求項１から５までの何れか一項に記載のフレキシブルスクリーン・モバイル端末用のヒンジ。
【請求項９】
前記回転フレキシブルスクリーン・サポートにはガイド溝が設けられるとともに、当該ガイド溝を介して昇降ガイド軸に動作可能にインサート連結される、
ことを特徴とする請求項１から５までの何れか一項に記載のフレキシブルスクリーン・モバイル端末用のヒンジ。
【請求項１０】
前記中間サポートは連結棒を介して昇降フレキシブルスクリーン・サポートと連結される、
ことを特徴とする請求項１から５までの何れか一項に記載のフレキシブルスクリーン・モバイル端末用のヒンジ。
【請求項１１】
前記中間サポートは連結棒を介して昇降フレキシブルスクリーン・サポートの昇降ガイド軸と連結される、
ことを特徴とする請求項１から５までの何れか一項に記載のフレキシブルスクリーン・モバイル端末用のヒンジ。
【請求項１２】
シンクロナス機構がさらに設けられ、左サポートと右サポートを同期且つ反対方向に回転させる、ことを特徴とする請求項１から５までの何れか一項に記載のフレキシブルスクリーン・モバイル端末用のヒンジ。
【請求項１３】
前記左サポートと右サポートは、それぞれケーシング又はケーシングの構成部分となり、ケーシングの中にはモバイル端末の回路基板と回路基板と連結される部品が設けられる、
ことを特徴とする請求項１から５までの何れか一項に記載のフレキシブルスクリーン・モバイル端末用のヒンジ。
【請求項１４】
フレキシブルスクリーン・モバイル端末用のヒンジが設けられた、フレキシブルスクリーン・モバイル端末であって、
フレキシブルスクリーン・モバイル端末用のヒンジは、中間サポートと、左構造と、右構造とを備えており、
左構造と右構造は、それぞれ左サポートと右サポートを備え、
前記左サポートと右サポートは、それぞれ中間サポートの右側と左側に回転可能に連結され、それらの回転軸は平行であり、
前記左サポートと右サポートは、いずれも中間サポートとフレキシブルスクリーン方向に向いて開いたスペースを有し、
前記スペースにはフレキシブルスクリーンをサポートする運動機構が設けられ、
前記運動機構は、フレキシブルスクリーンの幅以上の幅を有するフレキシブルスクリーン・サポートを有し、
前記運動機構には連動する回転フレキシブルスクリーン・サポートと昇降フレキシブルスクリーン・サポートが設けられ、
昇降フレキシブルスクリーン・サポートの昇降方向は、モバイル端末の厚さ方向に対応しており、
ヒンジが閉じられる場合、前記昇降フレキシブルスクリーン・サポートは低い位置に降下し、
ヒンジが開かれる場合、前記昇降フレキシブルスクリーン・サポートは高い位置に上昇し、
前記運動機構には、前記中間サポートから遠く離れた側の一端に、前記回転フレキシブルスクリーン・サポートが設けられており、前記回転フレキシブルスクリーン・サポートの回転軸は、左サポートと右サポートの回転軸と平行となり、昇降フレキシブルスクリーン・サポートが降下する場合に、回転フレキシブルスクリーン・サポートは下向きに回転し、昇降フレキシブルスクリーン・サポートが上昇する場合に、回転フレキシブルスクリーン・サポートは上向きに回転し、
前記フレキシブルスクリーンは、左サポートと右サポート、回転フレキシブルスクリーン・サポート及び昇降フレキシブルスクリーン・サポートと連結される、
ことを特徴とするフレキシブルスクリーン・モバイル端末。
【請求項１５】
前記回転フレキシブルスクリーン・サポートは、開口した第一スライディング・スペースを有し、かつ、ガイド溝が設けられ、
前記ガイド溝は、第一スライディング・フレキシブルスクリーン・サポートと連結され、
第一スライディング・フレキシブルスクリーン・サポートは、前記第一スライディング・スペースにおいて、前記ガイド溝に沿って、昇降フレキシブルスクリーン・サポートに向いてスライドするか、或いは昇降フレキシブルスクリーン・サポートから遠く離れる方向にスライドし、
前記フレキシブルスクリーンは、左サポートと右サポート、回転フレキシブルスクリーン・サポート及び昇降フレキシブルスクリーン・サポート、第一スライディング・フレキシブルスクリーン・サポートと連結される、
ことを特徴とする請求項１４に記載されたフレキシブルスクリーン・モバイル端末。
【請求項１６】
前記昇降フレキシブルスクリーン・サポートには、トップオープン式第二スライディング・スペースを具備するとともに、ガイド溝が設けられ、前記ガイド溝は第二スライディング・フレキシブルスクリーン・サポートと連結され、前記第二スライディング・フレキシブルスクリーン・サポートは、前記第二スライディング・スペースにおいて、前記ガイド溝に沿って中間サポートを向いてスライドするか、或いは中間サポートから遠く離れる方向にスライドし、前記フレキシブルスクリーンはまた第二スライディング・フレキシブルスクリーン・サポートと連結される、
ことを特徴とする請求項１４または１５に記載のフレキシブルスクリーン・モバイル端末。
【請求項１７】
前記ヒンジには、中間昇降押付ブロックがさらに設けられ、
前記中間昇降押付ブロックと中間サポートの間には、中間昇降押付ブロックの昇降ガイド構造が設けられ、
前記中間昇降押付ブロックは、さらに連結構造を介して、左サポート及び右サポートと連結されて、連動を実現し、その昇降方向は、ヒンジが閉じられる場合、前記中間昇降押付ブロックは高い位置に上昇し、ヒンジが開かれる場合、前記中間昇降押付ブロックは低い位置に降下し、前記フレキシブルスクリーンはまた中間昇降押付ブロックと連結される、
ことを特徴とする請求項１４から１６までの何れか一項に記載のフレキシブルスクリーン・モバイル端末。
【請求項１８】
前記中間昇降押付ブロックは、シンクロナス機構にもなり、左サポートと右サポートを同期且つ反対方向に回転させる、
ことを特徴とする請求項１７に記載のフレキシブルスクリーン・モバイル端末。
【請求項１９】
前記中間昇降押付ブロックは、それぞれ第一連結棒と第二連結棒を介して左サポート及び右サポートと回転可能に連結され、
前記第一連結棒と第二連結棒は、前記中間昇降押付ブロックの中間位置に同軸回転可能に連結され、
前記第一連結棒と左サポートとの連結軸は、左サポートと中間サポートとの回転軸と同軸になり、
前記第二連結棒と右サポートとの連結軸は、右サポートと中間サポートとの回転軸と同軸になる、
ことを特徴とする請求項１８に記載のフレキシブルスクリーン・モバイル端末。
【請求項２０】
前記運動機構は、対応する左サポート又は右サポートと連結されて、対応する左サポート又は右サポートと連動する、ことを特徴とする請求項１４から１９までの何れか一項に記載のフレキシブルスクリーン・モバイル端末。
【請求項２１】
前記運動機構の中間サポートから遠くに離れた一端は、回転フレキシブルスクリーン・サポートを介して対応する左サポート又は右サポートと連結され、
前記回転フレキシブルスクリーン・サポートの、中間サポートから遠くに離れた側の一端は、対応する左サポート又は右サポートに回転可能に連結され、
前記回転フレキシブルスクリーン・サポートの、中間サポートに近い側の一端は、昇降フレキシブルスクリーン・サポートと連結されるとともに、昇降フレキシブルスクリーン・サポートに対してスライド且つ回転することができ、
中間サポートの左右両側は、連結機構を介して左右両側の昇降フレキシブルスクリーン・サポートと連結され、
前記昇降フレキシブルスクリーン・サポートは、対応する左サポート又は右サポートと連結されて、対応する左サポート又は右サポートと連動する、
ことを特徴とする請求項１４から１９までの何れか一項に記載のフレキシブルスクリーン・モバイル端末。
【発明の詳細な説明】
【技術分野】
【０００１】
本発明はモバイル端末及びそのヒンジに関するものである。
【背景技術】
【０００２】
フレキシブルスクリーンは新しいスクリーンである。フレキシブルスクリーンがモバイル端末の裏側に取付けられるフレキシブルスクリーン・モバイル端末は、ヒンジの開閉によって生じる長さの変化に対応する必要がある。
【発明の概要】
【発明が解決しようとする課題】
【０００３】
本発明が解決しようとする課題は、フレキシブルスクリーンをモバイル端末裏側のフレキシブルスクリーン・モバイル端末に取付けて使用できるフレキシブルスクリーン・モバイル端末用のヒンジ、および、かかるヒンジを用いたフレキシブルスクリーン・モバイル端末を提供することである。
【課題を解決するための手段】
【０００４】
フレキシブルスクリーン・モバイル端末用のヒンジは、中間サポート、左構造及び右構造を備えており、左構造と右構造はそれぞれ左サポートと右サポートを備え、左サポートと右サポートは、それぞれ中間サポートの右側と左側に回転可能に連結され、それらの回転軸は平行となっている。
左サポートと右サポートは、いずれも中間サポートとフレキシブルスクリーン方向に向いて開いたスペースを有し、スペースにはフレキシブルスクリーンをサポートする運動機構が設けられ、前記運動機構はフレキシブルスクリーンの幅以上の幅を有するフレキシブルスクリーン・サポートを有し、前記運動機構には連動する回転フレキシブルスクリーン・サポートと昇降フレキシブルスクリーン・サポートが設けられ、昇降フレキシブルスクリーン・サポートの昇降方向はモバイル端末の厚さ方向に対応しており、ヒンジが閉じられる場合、前記昇降フレキシブルスクリーン・サポートは低い位置に降下し、ヒンジが開かれる場合、前記昇降フレキシブルスクリーン・サポートは高い位置に上昇する。
前記回転フレキシブルスクリーン・サポートの回転軸は、左サポートと右サポートの回転軸と平行となり、前記回転フレキシブルスクリーン・サポートの中間サポートから遠く離れた側の一端には、前記運動機構が設けられ、昇降フレキシブルスクリーン・サポートが降下する場合、回転フレキシブルスクリーン・サポートは下向きに回転し、昇降フレキシブルスクリーン・サポートが上昇する場合、回転フレキシブルスクリーン・サポートは上向きに回転する。
【０００５】
上記技術手段に基づき、本発明ではまた以下好ましい技術手段を使用するか、或いはこれらの好ましい技術手段を組み合わせて使用することもできる。
【０００６】
前記運動機構は、対応する左サポート又は右サポートと連結されて、対応する左サポート又は右サポートと連動してもよい。
【０００７】
前記運動機構の中間サポートから遠く離れた一端は、回転フレキシブルスクリーン・サポートを介して対応する左サポート又は右サポートと連結され、
前記回転フレキシブルスクリーン・サポートの中間サポートから遠く離れた側の一端は対応する左サポート又は右サポートに回転可能に連結され、
前記回転フレキシブルスクリーン・サポートの中間サポートに近い側の一端は、昇降フレキシブルスクリーン・サポートと連結されるとともに、昇降フレキシブルスクリーン・サポートに対してスライド且つ回転することができ、
中間サポートの左右両側は、連結機構を介して左右両側の昇降フレキシブルスクリーン・サポートと連結され、
前記昇降フレキシブルスクリーン・サポートは、対応する左サポート又は右サポートと連結されて、対応する左サポート又は右サポートと連動してもよい。
【０００８】
前記回転フレキシブルスクリーン・サポートは、開口した第一スライディング・スペースを有し、かつ、ガイド溝が設けられ、
前記ガイド溝は、第一スライディング・フレキシブルスクリーン・サポートと連結され、
第一スライディング・フレキシブルスクリーン・サポートは、前記第一スライディング・スペースにおいて、前記ガイド溝に沿って、昇降フレキシブルスクリーン・サポートに向いてスライドするか、或いは昇降フレキシブルスクリーン・サポートから遠く離れる方向にスライドしてもよい。
【０００９】
前記昇降フレキシブルスクリーン・サポートには、開口した第二スライディング・スペースを有し、かつ、ガイド溝が設けられ、前記ガイド溝は第二ススライディング・フレキシブルスクリーン・サポートと連結され、前記第二スライディング・フレキシブルスクリーンサポートは、前記第二スライディング・スペースにおいて、前記ガイド溝に沿って中間サポートを向いてスライドするか、或いは中間サポートから遠く離れる方向にスライドしてもよい。
【００１０】
左サポートと右サポートには昇降フレキシブルスクリーン・サポートの昇降ガイド傾斜溝が設けられ、前記昇降フレキシブルスクリーン・サポートは昇降ガイド軸を介して対応する左サポート又は右サポートの昇降ガイド傾斜溝とスライド可能に連結されてもよい。
【００１１】
前記回転フレキシブルスクリーン・サポートにはガイド溝が設けられるとともに、当該ガイド溝を介して昇降ガイド軸に動作可能にインサート連結されてもよい。
【００１２】
前記中間サポートは連結棒を介して昇降フレキシブルスクリーン・サポートと連結されてもよい。
【００１３】
前記中間サポートは連結棒を介して昇降フレキシブルスクリーン・サポートの昇降ガイド軸と連結されてもよい。
【００１４】
左サポートと右サポートを同期且つ反対方向に回転させるシンクロナス機構がさらに設けられてもよい。
【００１５】
前記左サポートと右サポートはそれぞれケーシング又はケーシングの構成部分となり、ケーシングの中にはモバイル端末の回路基板と回路基板と連結される部品が設けられてもよい。
【００１６】
前記ヒンジには、中間昇降押付ブロックがさらに設けられ、前記中間サポートにはフレキシブルスクリーンの幅方向に沿って長い穴を有し、中間昇降押付ブロックの昇降ガイドに対して、前記中間昇降押付ブロックは、さらに連結構造を介して、左サポートと右サポートと連結されて連動し、前記中間昇降押付ブロックの昇降方向はヒンジが閉じられる時に、前記中間昇降押付ブロックは高い位置に上昇して前記長い穴から突き出され、ヒンジが開かれる時に、前記中間昇降押付ブロックは、低い位置に降下して、開かれたフレキシブルスクリーンの中間部位をサポートしてもよい。
【００１７】
前記中間昇降押付ブロックは、シンクロナス機構にもなり、左サポートと右サポートを同期且つ反対方向に回転させてもよい。
前記中間昇降押付ブロックは、それぞれ第一連結棒と第二連結棒を介して左サポート及び右サポートと回転可能に連結され、前記第一連結棒と第二連結棒は前記中間昇降押付ブロックの中間位置に同軸回転可能に連結され、前記第一連結棒と左サポートとの連結軸は左サポートと中間サポートとの回転軸と同軸になり、前記第二連結棒と右サポートとの連結軸は右サポートと中間サポートとの回転軸と同軸になってもよい。
【００１８】
課題を解決するための技術手段は、上記いずれかのフレキシブルスクリーン・モバイル端末用のヒンジが設けられ、前記フレキシブルスクリーンは左サポートと右サポート、回転フレキシブル枢リーンサポート及び昇降フレキシブルスクリーン・サポートと連結される、ことを特徴とするフレキシブルスクリーン・モバイル端末である。
【００１９】
第一スライディング・フレキシブルスクリーン・サポートを設ける場合、前記フレキシブルスクリーンも第一スライディング・フレキシブルスクリーン・サポートと連結され、第二スライディング・フレキシブルスクリーン・サポートを設ける場合、前記フレキシブルスクリーンも第二スライディング・フレキシブルスクリーン・サポートと連結され、中間昇降押付ブロックを設ける場合、前記フレキシブルスクリーンも中間昇降押付ブロックに連結されてもよい。
【発明の効果】
【００２０】
本発明の技術手段を使用することによって、本発明の構造は合理的であり、内部構造の動作が簡単で、性能が安定的であり、ヒンジが閉じられる時に、曲がる所の近くにおいて比較的広いＵ形で上部が徐々に傾斜するように閉じられた構造となり、フレキシブルスクリーン・モバイル端末の閉じ／開き操作の需要を満たすだけでなく、フレキシブルスクリーン・モバイル端末が開かれる時に、全面的なサポートを得ることができ、曲がる所が滑らかに変化し、損傷を避けて、使用される。そして、モバイル端末の耐久性をさらに伸ばすことができる。
【図面の簡単な説明】
【００２１】
【図１】図１は本発明によって提供されるヒンジ実施例が閉じられている時の略図である。
【図１ａ】図１ａは本発明によって提供されるヒンジ実施例が閉じられている時の断面図である。
【図２】図２は本発明によって提供されるヒンジ実施例が開かれている時の略図である。
【図２ａ】図２ａは本発明によって提供されるヒンジ実施例が開かれている時の断面図である。
【図３ａ】図３ａ、図３ｂ、図３ｃはそれぞれヒンジが閉じられる時から開かれるまで、３つの異なる開き角度のヒンジを示した略図であり、開き角度は次第に大きくなる。
【図３ｂ】図３ａ、図３ｂ、図３ｃはそれぞれヒンジが閉じられる時から開かれるまで、３つの異なる開き角度のヒンジを示した略図であり、開き角度は次第に大きくなる。
【図３ｃ】図３ａ、図３ｂ、図３ｃはそれぞれヒンジが閉じられる時から開かれるまで、３つの異なる開き角度のヒンジを示した略図であり、開き角度は次第に大きくなる。
【図４】図４は本発明のヒンジ実施例の分解図である。
【図５】図５はヒンジ中の中間昇降押付ブロックの略図である。
【図６】図６はヒンジ中の中間サポートの略図である。
【図７】図７はヒンジ中の昇降フレキシブルスクリーン・サポートの略図である。
【図８】図８はヒンジ中の回転フレキシブルスクリーン・サポートの略図である。
【図９】図９はフレキシブルスクリーンの閉じ／開き状態の変化図である。
【発明を実施するための形態】
【００２２】
図面のとおり、本発明によって提供されるフレキシブルスクリーン・モバイル端末は、中間サポート１や左構造及び右構造を備えている。左構造と右構造は、それぞれ左サポート２１と右サポート２２を備えている。左サポート２１と右サポート２２は、それぞれ中間サポート１の右側と左側に回転可能に連結されている。それらの回転軸２１０、２２０は、平行となっている。
【００２３】
左サポート２１と右サポート２２は、フレキシブルスクリーン１００の主たるサポートエリアをサポートする役割を有している。左サポート２１と右サポート２２は、プレート状でありうる。また、左サポート２１と右サポート２２は、モバイル端末のケーシング又はケーシングの一部を構成しうる。ケーシングンの中には、モバイル端末の回路基板や回路基板と連結される部品などが設けられうる。
【００２４】
中間サポートとフレキシブルスクリーンに向けられた左サポート２１と右サポート２２のそれぞれのオープンスペース２００に、ヒンジが設けられている。
【００２５】
フレキシブルスクリーンをサポートする運動機構は、スペース２００に設けられている。運動機構は、フレキシブルスクリーンの幅以上の幅を有するフレキシブルスクリーン・サポートを有している。
【００２６】
ヒンジが閉じられる場合、図１ａの形状を形成する。ヒンジが開かれる場合、図２ａの形状を形成する。傾斜且つ昇降の方式によって、ヒンジ機械構造が閉じ／開き時の伸長又は縮小の需要を吸収又は満足する。フレキシブルスクリーンは、運動機構に常時くっつきつつ、滑らかに曲っていき、開かれる時には全面的なサポートが得られる。
【００２７】
運動機構は、連動する回転フレキシブルスクリーン・サポート３と昇降フレキシブルスクリーン・サポート４とを備えている。昇降フレキシブルスクリーン・サポート４が上昇・降下する方向は、モバイル端末の厚さ方向に対応している。
【００２８】
ヒンジが閉じられる場合、昇降フレキシブルスクリーン・サポート４は、低い位置（図１ａを参照）に降下する。ヒンジが開かれる場合、昇降フレキシブルスクリーン・サポート４は高い位置（図２ａを参照）に上昇する。回転フレキシブルスクリーン・サポート３と昇降フレキシブルスクリーン・サポート４はいずれも扁平な部品にすることができる。
【００２９】
回転フレキシブルスクリーン・サポート３の回転軸３０は、左サポート２１と右サポート２２の回転軸２１０、２２０と平行である。
【００３０】
運動機構は、中間サポート１から遠く離れた側の一端に、回転フレキシブルスクリーン・サポート３を備えている。
昇降フレキシブルスクリーン・サポート４が降下すると、回転フレキシブルスクリーン・サポート３は下向きに回転する。
昇降フレキシブルスクリーン・サポート４が上昇すると、回転フレキシブルスクリーン・サポート３は上向きに回転する。
そして、昇降フレキシブルスクリーン・サポート４が高い位置に上昇すると、回転フレキシブルスクリーン・サポート３は、開かれたフレキシブルスクリーンをサポートするために、高い位置に回転する。
【００３１】
左側構造と右側構造は、いずれも運動機構を備えている。運動機構は、対応する左サポート２１又は右サポート２２と連動するように、左サポート２１又は右サポート２２に連結されている。左サポート２１又は右サポート２２が手動で開く又は閉じる時に、運動機構は自動的に連動する。
【００３２】
好ましくは、中間サポート１から遠く離れた側の運動機構の一端は、回転フレキシブルスクリーン・サポート３によって、対応する左サポート２１又は右サポート２２と連結される。回転フレキシブルスクリーン・サポート３の中間サポート１から遠く離れた側の一端は、対応する左サポート２１又は右サポート２２に回転可能に連結されている。
【００３３】
回転フレキシブルスクリーン・サポートの中間サポートに近い側の一端は、昇降フレキシブルスクリーン・サポート４に連結されるとともに、昇降フレキシブルスクリーン・サポート４に対してスライドし且つ回転することができる。中間サポートの左右両側は、連結機構を介して左右両側の昇降フレキシブルスクリーン・サポート４にそれぞれ連結されている。昇降フレキシブルスクリーン・サポート４は、対応する左サポート又は右サポートに連結されるように、対応する左サポート２１又は右サポート２２に接続されている。
【００３４】
さらに好ましくは、回転フレキシブルスクリーン・サポート３は、第一スライディング・スペース３１を有するとともに、ガイド溝３２が設けられている。ガイド溝は、第一スライディング・フレキシブルスクリーン・サポート５１に連結される。第一スライディング・フレキシブルスクリーン・サポート５１は、第一スライディング・スペース３１において、ガイド溝３２に沿って、昇降フレキシブルスクリーン・サポート４に向けてスライドするか、或いは昇降フレキシブルスクリーン・サポート４から遠く離れる方向に向けてスライドするとともに、回転フレキシブルスクリーン・サポート３とともに回転する。
【００３５】
昇降フレキシブルスクリーン・サポート４は、第二スライディング・スペース４１を有するとともに、ガイド溝４２が設けられている。ガイド溝４２は、第二ススライディング・フレキシブルスクリーン・サポート５２に連結される。第二スライディング・フレキシブルスクリーンサポート５２は、第二スライディング・スペース４２において、ガイド溝４２に沿って、中間サポート１に向けてスライドするか、或いは中間サポート１から遠く離れる方向に向けてスライドするとともに、昇降フレキシブルスクリーン・サポート４とともに上昇し、かつ、降下する。
【００３６】
第一スライディング・フレキシブルスクリーン・サポート５１と第二ススライディング・フレキシブルスクリーン・サポート５２は、扁平な部品にすることもできる。
【００３７】
第一スライディング・フレキシブルスクリーン・サポート５１と第二ススライディング・フレキシブルスクリーン・サポート５２は、ヒンジが閉じられる時に、比較的広いＵ形で上部が徐々に傾斜するように閉じられたＵ形の側面にそれぞれ対応している。ヒンジが閉じられる時に、フレキシブルスクリーンが速やかに曲がり、かつ、湾曲し、さらにフレキシブルスクリーンはより全面的にサポートされる。
【００３８】
好ましくは、左サポート２１と右サポート２２は、昇降フレキシブルスクリーン・サポート４の昇降ガイド傾斜溝２４を備えている。昇降フレキシブルスクリーン・サポート４は、昇降ガイド軸４０を介して対応する左サポート２１又は右サポート２２の昇降ガイド傾斜溝２４とスライド可能に連結される。一つの昇降フレキシブルスクリーン・サポート４は、二つの昇降ガイド傾斜溝２４に装着されている。必要に応じて、昇降フレキシブルスクリーン・サポート４は、複数の部材で構成されていてもよく、それに従い昇降ガイド傾斜溝２４が増やされうる。
【００３９】
回転フレキシブルスクリーン・サポート３は、ガイド溝３２の前方にガイド溝３３を備えており、当該ガイド溝３３を通して、昇降ガイド軸４０に動作可能にインサート連結されており、スライドおよび回転できるように両者を連結させたリンクが形成されている。
【００４０】
好ましくは、中間サポート１は、連結棒６を介して昇降フレキシブルスクリーン・サポート４と連結されている。さらに好ましくは、中間サポート１は、連結棒６を介して昇降フレキシブルスクリーン・サポート４の昇降ガイド軸４０に連結されている。
【００４１】
ヒンジは、左サポート２１と右サポート２２を同期させ、且つ、反対方向に回転させるシンクロナス機構も備えている。
【００４２】
ヒンジは、中間昇降押付ブロック７をさらに備えている。中間昇降押付ブロック７と中間サポートとには中間昇降押付ブロックを昇降させるための昇降ガイド構造が設けられている。当該昇降ガイド構造は、好ましくは、中間サポート１の中間に形成された長いガイド穴１０である。中間昇降押付ブロック７は、さらに左サポート２１と右サポート２２に連動するように、連結構造を介して、左サポート２１と右サポート２２に連結されている。
【００４３】
中間昇降押付ブロック７の昇降方向は、ヒンジが閉じられる場合、中間昇降押付ブロックが高い位置に上昇して、長い穴１０（図１ａを参照）から突き出される。ヒンジが開かれる場合、開かれたフレキシブルスクリーンの中間部位をサポートするように中間昇降押付ブロック７は低い位置に降下する（図２ａを参照）。
【００４４】
このように、曲がる所の近くにおいて比較的広いＵ形で上部が徐々に傾斜するように閉じられた構造を形成し、フレキシブルスクリーンの中部をサポートするだけでなく、ヒンジが閉じられてフレキシブルスクリーンが曲がる時に、湾曲部位に対してもサポートする作用がある。フレキシブルスクリーンが湾曲するのを補助し、フレキシブルスクリーンを保護作用がある。中間昇降押付ブロックの長さはフレキシブルスクリーン幅以上である。
【００４５】
中間昇降押付ブロック７は、シンクロナス機構にもなる。好ましくは、中間昇降押付ブロック７は、それぞれ第一連結棒８１と第二連結棒８２を介して、左サポート２１と右サポート２２と回転可能に連結されている。
【００４６】
第一連結棒８１と第二連結棒８２は、中間昇降押付ブロック７の中間位置に同軸で回転可能に連結されている。その軸の記号は７０である。軸７０は、第一連結棒８１及び第二連結棒８２毎にそれぞれ設けられていてもよい。第一連結棒８１と左サポート２１との連結軸は、左サポート２１と中間サポート１との回転軸２１０と同軸（同一軸、又は区切り別に設置）になる。第二連結棒８２と左サポート２２との連結軸は、左サポート２２と中間サポート１との回転軸２２０と同軸（同一軸、又は区切り別に設置）になる。
【００４７】
本発明のヒンジを利用したフレキシブルスクリーン・モバイル端末において、フレキシブルスクリーンは左サポートと右サポート、回転フレキシブルスクリーン・サポート及び昇降フレキシブルスクリーン・サポートによってフレキシブルスクリーンが開かれる時のサポート平面を形成する。
【００４８】
第一スライディング・フレキシブルスクリーン・サポート５１、第二スライディング・フレキシブルスクリーン・サポート５２及び／又は中間昇降押付ブロック７が設けられていれば、フレキシブルスクリーンは、対応する第一スライディング・フレキシブルスクリーン・サポート５１、第二スライディング・フレキシブルスクリーン・サポート５２及び／又は中間昇降押付ブロック７とも連結される。これらの部品も、互いに左サポートと右サポート、回転フレキシブルスクリーン・サポート及び昇降フレキシブルスクリーン・サポートと一緒にフレキシブルスクリーンが開かれる時のサポート平面を形成する。
【００４９】
上記内容は単なる本発明の最良の実施形態に過ぎなく、本発明の構造はこれに限られず、本分野の技術者が本発明の分野において、行われたすべての変動又は修飾は、いずれも本発明の保護範囲に属する。
【図１】
0006870148.tif 000002
【図１ａ】
0006870148.tif 000003
【図２】
0006870148.tif 000004
【図２ａ】
0006870148.tif 000005
【図３ａ】
0006870148.tif 000006
【図３ｂ】
0006870148.tif 000007
【図３ｃ】
0006870148.tif 000008
【図４】
0006870148.tif 000009
【図５】
0006870148.tif 000010
【図６】
0006870148.tif 000011
【図７】
0006870148.tif 000012
【図８】
0006870148.tif 000013
【図９】
0006870148.tif 000014